(57)【要約】【課題】本発明は、光学アダプタ式内視鏡装置において、装着された光学アダプタに適した種々の設定を簡単に行うことができる光学アダプタ式内視鏡装置を提供することを目的とする。【解決手段】本発明の内視鏡装置１は、複数の光学アダプタ２が着脱自在な挿入部３を有しており、光学アダプタ２の着脱を検知するための抵抗器１１、及び着脱検知部と３２と、複数の光学アダプタ２ごとに特有の設定値としての設定テーブルを記憶しておくROM２１と、設定テーブルに基づいて光学アダプタ２の一覧を表示するLCD３１と、光学アダプタ２の一覧から一つの光学アダプタを選択する操作スイッチ２４とを具備することを特徴とする。【選択図】図７
2007044280.tif 000002
【特許請求の範囲】
【請求項１】
それぞれ種類の異なる複数の光学アダプタの着脱が自在な挿入部を有した内視鏡装置であって、
上記光学アダプタの上記着脱を検知する着脱検知部と、
上記複数の光学アダプタ情報に対する設定データを予め記憶する記憶手段と、
上記着脱検知部が上記光学アダプタの装着を検知したときに、上記設定データに基づいて上記光学アダプタ情報の一覧を表示部に表示させる一覧表示手段と、
上記一覧の中から上記複数の光学アダプタの中から一つを選択する選択手段と、
を具備することを特徴とする内視鏡装置。
【請求項２】
さらに、上記設定データに編集処理を行う編集手段を具備したことを特徴とする請求項１記載の内視鏡装置。
【請求項３】
それぞれ種類の異なる複数の光学アダプタの着脱が自在な挿入部を有した内視鏡装置であって、
上記複数の光学アダプタ情報に対する設定データを予め記憶する記憶手段と、
上記設定データに基づいて上記光学アダプタ情報の一覧を表示部に表示させる一覧表示手段と、
上記一覧の中から上記複数の光学アダプタの中から一つを選択する選択手段と、
上記設定データに編集処理を行う編集手段と、
を具備することを特徴とする内視鏡装置。
【請求項４】
上記編集手段による編集処理は、上記設定データの追加及び削除の少なくともいずれか一つの処理を含むことを特徴とする請求項２、又は請求項３記載の内視鏡装置。
【請求項５】
上記一覧表示手段は、上記光学アダプタ情報に基づいて、同じ特性をもつ上記複数の光学アダプタをグループとして、そのグループに属する上記複数の光学アダプタの上記光学アダプタ情報を表示することを特徴とする請求項１、請求項２、又は請求項３記載の内視鏡装置。
【請求項６】
上記記憶手段は、記録媒体であることを特徴とする請求項１、請求項２、又は請求項３記載の内視鏡装置。
【請求項７】
上記設定データは、上記複数の光学アダプタをグループごとに特定するための光学アダプタグループ情報を含んで構成されることを特徴とする請求項１、請求項２、又は請求項３記載の内視鏡装置。
【発明の詳細な説明】
【技術分野】
【０００１】
本発明は、複数種類の光学アダプタを挿入部に着脱自在にした内視鏡装置において、光学アダプタ使用時における各アダプタに対応した各部の設定を簡単に行うことができる内視鏡装置に関する。
【背景技術】
【０００２】
従来、内視鏡装置には、種類の異なる複数の光学アダプタを挿入部に着脱自在にした光学アダプタ式内視鏡装置がある。これら光学アダプタ式内視鏡装置は、観察を始める前にユーザが手動で光学アダプタの設定を変更しなければならなかったため、装置の操作が煩雑になり、手動による設定変更は、誤設定の原因となっていた。
【０００３】
それに対し、操作性を改善しようとしたものとして、ユーザがメニュー表示された光学アダプタの種類から使用する光学アダプタを選択すると、装着された光学アダプタの視野エリアの形状にもとづいて光学アダプタの種類を判別し、計測補正係数の設定変更を行うといった方法が提案されている（例えば、特開2004-33487号公報参照）。この提案では、光学アダプタの種類を判別するために新たな手段を設ける必要がないので、細径化された内視鏡に適用させやすい。
【０００４】
しかしながら、この提案であっても、ユーザ自ら光学アダプタ選択を実施しなければならないため、設定変更を忘れてしまうことがあった。また、光学アダプタが異なっていても、視野エリアの形状が同一である場合、光学アダプタの判別ができないといった問題も有する。
【０００５】
一方で、操作性を改善しようとしたものとして、デジタルカメラにて撮像レンズの着脱を検知して、その撮像レンズに対応した画像処理条件を自動的に設定できる提案がなされている（例えば、特開2001-251549号公報参照）。
【０００６】
また、光学アダプタ式内視鏡装置として光学アダプタに、例えばICもしくは抵抗等を備えることにより、内視鏡本体の判別手段が光学アダプタを判別することが可能な光学アダプタ式内視鏡装置が提案されている（例えば、特開2004-313241号公報）。
【０００７】
しかし、これらの提案の方法では、光学アダプタの種類が多くなると、着脱を検知するセンサ、光学アダプタの種類を判別するためのメモリ、又は抵抗、画像処理条件を記憶するメモリ、もしくはそれらセンサ及びメモリの回路などそれぞれが大型化してしまい、細径化された内視鏡先端部への適用は困難であった。
【０００８】
さらに、数多くの光学アダプタに対応できるようにすると、さらにセンサやメモリ、或いは回路が大型化してしまうため、最径化することがますます困難になるという問題を有していた。
【０００９】
また、装着された光学アダプタの種類を内視鏡本体の判別手段が特定できない場合は、使用不可能或いは最適な設定で動作しないため、新しい光学アダプタを使用できるようにするためには、判別手段のハードウェア又はソフトウェアを変更する必要があった。
【特許文献１】特開2001-251549号公報
【特許文献２】特開2004-313241号公報
【特許文献３】特開2004-33487号公報
【発明の開示】
【発明が解決しようとする課題】
【００１０】
そこで本発明は上述の問題点に鑑みてなされたものであり、細径化された内視鏡先端部へ光学アダプタを着脱する光学アダプタ式内視鏡装置に適用でき、かつ、装着された光学アダプタに適した種々の設定を簡単に行うことができる光学アダプタ式内視鏡装置を提供することを目的とする。
【００１１】
さらに、操作性をより向上させるために、光学アダプタ情報を自由に編集可能な光学アダプタ式内視鏡装置を提供することを目的とする。
【課題を解決するための手段】
【００１２】
本発明の内視鏡装置は、それぞれ種類の異なる複数の光学アダプタの着脱が自在な挿入部を有した内視鏡装置であって、上記光学アダプタの上記着脱を検知する着脱検知部と、上記複数の光学アダプタ情報に対する設定データを予め記憶する記憶手段と、上記着脱検知部が上記光学アダプタの装着を検知したときに、上記設定データに基づいて上記光学アダプタ情報の一覧を表示部に表示させる一覧表示手段と、上記一覧の中から上記複数の光学アダプタの中から一つを選択する選択手段とを具備する。
【発明の効果】
【００１３】
本発明によれば、細径化された内視鏡先端部へ光学アダプタを着脱する光学アダプタ式内視鏡装置に適用でき、かつ、装着された光学アダプタに適した種々の設定を簡単に行うことができる光学アダプタ式内視鏡装置を実現することができる。さらに、操作性の良い、光学アダプタ情報を自由に編集可能な光学アダプタ式内視鏡装置を実現することができる。
【発明を実施するための最良の形態】
【００１４】
以下に本発明の実施の形態を図を用いて説明する。  
図１は本発明の実施の形態における内視鏡装置の概略構成図である。図２は内視鏡装置１の起動処理の流れの例を示すフローチャートである。図３は光学アダプタ設定処理の流れの例を示すフローチャートである。図４は光学アダプタ２の一覧の画面表示の例の図である。図５は取り外し監視処理の流れの例を示すフローチャートである。図６は光学アダプタが取り外されたときの画面表示の例の図である。図７は光学アダプタの種別検知処理の流れの例を示すフローチャートである。図８は登録処理の流れの例を示すフローチャートである。図９は設定テーブル編集処理の流れの例を示すフローチャートである。図１０はシリアル番号を含めた光学アダプタ情報の一覧表示の例の図である。
【００１５】
図１に示すように、内視鏡装置１は、種類の異なる複数の光学アダプタ２と、光学アダプタ２が接続自在な挿入部３と、挿入部３の基端部に接続された本体部４と、パーソナルコンピュータ（以下、PCと略す）５とから構成される。
【００１６】
光学アダプタ２は、被写体を照明する、LED等の照明装置１０と、光学アダプタ２の着脱及び種別を検知するための抵抗器１１と、被写体からの反射光（以下、被写体像と記す）を結像するレンズ１２とから構成される。
【００１７】
挿入部３の先端には、レンズ１２によって結像された被写体像を撮像する撮像素子、例えば固体撮像素子としての電荷結合素子（以下、CCDと略す）１５が配置される。
【００１８】
本体部４は、中央演算処理装置（以下、CPUと略す）２０と、ROM２１と、RAM２２と、通信インターフェイス（以下、通信I/Fと略す）２３と、操作スイッチ２４と、記録媒体２５と、記録媒体制御部２６と、CCD駆動部２７と、照明装置制御部２８と、撮像信号処理部２９と、画像処理部３０と、表示部としての液晶モニタ（以下、LCDと略す）３１と、着脱検知部３２とにより構成される。通信I/F２３は、USB、もしくはRS−２３２C等によりPC５と接続される。また、通信I/F２３は、例えばインターネット、もしくはローカルエリアネットワーク（以下、LANと略す）といったネットワークシステムとも接続可能である。記録媒体２５は、例えばメモリーカード等の可搬媒体であって、図示しないアダプタ等に装着されている。
【００１９】
以上のような構成の内視鏡装置１の観察における動作の一例を以下に説明する。
【００２０】
まず、ユーザは、光学アダプタ２を挿入部３に装着する。そして、内視鏡装置１の電源を投入すると、CPU２０は、起動処理を行う。
【００２１】
次に、ユーザは、内視鏡観察を行うための各種設定処理を行う。一般的に、これら光学アダプタ式内視鏡装置は、観察を始める前にユーザが使用する光学アダプタに適した設定に手動で変更される。しかし、本発明の実施の形態において、ユーザは、内視鏡装置１において使用可能な光学アダプタ２の一覧から、使用する光学アダプタ２を選択するだけで観察を行うことができる。
【００２２】
そして、CPU２０は、内視鏡装置１各部、例えば照明装置制御部２８、CCD駆動部２７、撮像信号処理部２９、画像処理部３０、及び記録媒体制御部２６へ、装着された光学アダプタ２に対応した光学アダプタ情報に基づく制御信号を送信する。
【００２３】
その後、CPU２０は、ユーザが内視鏡観察を行うことができる観察モードに移行する。上述のCPU２０における起動処理から観察モードまでの一連の処理についての詳細は、後述する。
【００２４】
照明装置制御部２８は、CPU２０から受信した制御信号に従って、照明装置１０を制御する。また、照明装置１０は、被写体を照明する。被写体像は、レンズ１２によりCCD１５の撮像面に結像する。
【００２５】
一方、CCD駆動部２７は、CPU２０から受信した制御信号に従って、CCD１５を駆動する。CCD１５は、結像した被写体像を撮像し、撮像信号処理部へ撮像信号を送信する。そして、撮像信号処理部２９は、CPU２０から受信した制御信号に従って、CCD１５から受信した撮像信号に、例えばアナログデジタル変換等といった処理を行う。撮像信号処理部２９は、画像処理部３０へ処理済み撮像信号を送信する。
【００２６】
次に、画像処理部３０は、CPU２０から受信した制御信号に従って、撮像信号処理部２９から受信した処理済み撮像信号をLCD３１に表示するための画像信号へと画像処理する。画像処理部３０は、画像信号を表示手段としてのLCD３１へ送信し、LCD３１は、受信した画像信号を画像として表示する。ここで、CPU２０が、記録媒体制御部２６に画像を記録させる信号を送信していた場合は、画像処理部３０は、記録媒体２５へ、画像信号を送信する。また同時に、記録媒体制御部２６は、記録媒体２５に画像信号を記録させる。
【００２７】
以上が本発明の実施の形態における内視鏡装置１の動作の概略である。  
そこで、CPU２０における起動処理から観察モードまでの処理についての詳細を、以下に図を用いて説明する。図２は、内視鏡装置１の起動処理の流れの例を示すフローチャートである。図２の処理はCPU２０が行うものとする。さらに、図２の処理は内視鏡装置１の電源が投入されたときに始まるものである。
【００２８】
まず、ステップS１１において、CPU２０は、起動処理を行う。この起動処理は、例えばデバイスの初期化、もしくはOSの起動などである。
【００２９】
次に、ステップS１２において、CPU２０は、記憶部としてのROM２１、記録媒体２５、もしくは通信I/F２３を介してPC５から、光学アダプタ情報としての設定データを含む設定テーブルをRAM２２に読み込む。この設定テーブルの情報は、光学アダプタ情報として、光学アダプタ２の種類、視野角、必要光量などといった観察に必要な光学アダプタに関する種々の情報によって構成される。ここで、このステップS１２を終了した時点の内視鏡装置１の状態を、内視鏡装置１におけるスタンバイ状態と呼ぶことにする。
【００３０】
そして、ステップS１３において、CPU２０は、設定処理を行う。この設定処理の詳細は後述する。
【００３１】
その後、ステップS１４において、CPU２０は、観察モードに移行する。この観察モードは、ユーザが内視鏡観察を行うことができるモードである。観察モードにおいては、CPU２０は、操作スイッチ２４、もしくはPC５から、ユーザが入力した操作信号、例えばズーム、フリーズ等を受信し、その受信した信号に基づいて、内視鏡装置１各部に制御信号を送信する。
【００３２】
そこで以下に、CPU２０における設定処理についての詳細を図３及び図４を用いて説明する。図３は、設定処理の流れの例を示すフローチャートである。図４は、光学アダプタ２の一覧の画面表示の例を示す図である。
【００３３】
図３の処理は、CPU２０が行うものとする。また、図３の処理は、上述した図２のステップS１３における処理であり、以下の処理は、図２のステップS１３に移行した時点から始まるものとする。
【００３４】
まず、ステップS２１において、光学アダプタ２の着脱を検知する。光学アダプタ２が挿入部３に装着されると、着脱検知部３２は、装着信号を生成しCPU２０に送信する。CPU２０は、着脱検知部３２から光学アダプタ２の装着信号を受信する。光学アダプタ２が未装着の場合、処理は、ステップS２１を繰り返し、光学アダプタ２が挿入部３に装着されるまで待機する。光学アダプタ２が挿入部３に装着されている場合、処理は、ステップS２２に移行する。
【００３５】
ステップS２２において、一覧表示手段として、CPU２０は、RAM２２に読み込んだ設定テーブルに基づいて、内視鏡装置１において使用可能な光学アダプタ２を、LCD３１に一覧表示する。図４に一覧の画面表示の一例の図を示す。
【００３６】
そして、ステップS２３において、選択手段として、CPU２０は、操作スイッチ２４から、もしくは通信I/F２３を介してPC５からの決定信号を受信するまで待機する。この決定信号は、ユーザが、操作スイッチ２４、もしくはPC５を用いて一覧表示された光学アダプタ２の中から、使用する光学アダプタの一つを選択することで生成される。決定信号が入力されない場合、処理は、ステップS２３を繰り返す。
【００３７】
次に、ステップS２４において、CPU２０は、決定信号と、RAM２２の設定テーブルとに基づいた制御信号を、内視鏡装置１各部に送信する。例えば、図４において、太枠の「単眼  直視  80度」のものが選択されると、「単眼  直視  80度」の光学アダプタ２の設定情報に基づいた制御信号が、内視鏡装置１の各部に送信される。
【００３８】
ステップS２５において、CPU２０は、画像処理部３０を介して、選択した光学アダプタ２、つまり使用している光学アダプタ情報をLCD３１に表示させる。  
以上で設定処理は終了し、図２のステップS１４の観察モードに移行する。
【００３９】
なお、観察モードにおいては、光学アダプタ２が取り外されたかどうかを常時監視する取り外し監視処理が実行されている。ここで、取り外し監視処理を図５及び図６を用いて以下に説明する。図５は取り外し監視処理の流れの例のフローチャートである。図６は光学アダプタが取り外されたときの画面表示の例の図である。
【００４０】
ステップS３１において、CPU２０は、着脱検知部３２から取り外し情報を受信する。光学アダプタ２が装着されている場合、処理は、ステップS３１を繰り返し、内視鏡観察を行える状態を継続する。光学アダプタ２が取り外された場合、処理は、ステップS３２に移行する。
【００４１】
ステップS３２において、CPU２０は、画像処理部３０を介して、光学アダプタ２が取り外されたことを告知するメッセージをLCD３１に表示させる。図６に光学アダプタ２が取り外されたときの画面表示の一例を示す。
【００４２】
処理を終了した以後は、上述した内視鏡装置１のスタンバイ状態に移行する。
【００４３】
以上説明した構成により、光学アダプタ２を取り付けたら一覧が表示されるので、ユーザが光学アダプタ２についての内視鏡装置１の設定変更を忘れることはない。また、使用可能な光学アダプタ２の一覧表示から、使用する光学アダプタ２を選択するので、ユーザは、簡単に内視鏡装置１の設定を変更できる。
【００４４】
なお、上述したように着脱検知部３２では光学アダプタ２の着脱を検知するだけではなく、装着された光学アダプタの種類を検知し、一覧表示した際に、装着した光学アダプタ２が選択された状態で表示したり、或いは、一覧を表示せずにステップS２４へ移行し、自動的に設定を変更した後に、光学アダプタの種類を画面上に表示するようにしてもよい。または、光学アダプタの種類まで検知した後、その検知結果に対応する光学アダプタ２のみの一覧表示をするようにしてもよい。さらに、設定テーブルにない光学アダプタ２が装着された場合は、設定テーブルに光学アダプタ情報を追加処理を行えるようにしてもよい。その場合のCPU２０の処理の詳細を、図を用いて以下に説明する。
【００４５】
図７は光学アダプタの種別検知処理の流れの例のフローチャートを示す。図７の処理はＣＰＵ２０が行うものとする。また、図７の処理は、内視鏡装置１がスタンバイ状態において始まるものとする。
【００４６】
まず、ステップＳ４１において、CPU２０は、着脱検知部３２から光学アダプタ２の着脱種別信号を受信する。光学アダプタ２が未装着の場合、処理は、ステップＳ４１を繰り返し、光学アダプタ２が挿入部先端に装着されるのを待機する。光学アダプタ２が装着されている場合、処理は、ステップＳ４２へ移行する。
【００４７】
続いて、ステップＳ４２において、CPU２０は、着脱検知部３２から受信した着脱種別信号に基づいて、予め読み出した設定テーブルの光学アダプタ２の全種類の中から、装着された光学アダプタ２の種類を判別する。この着脱種別信号は、抵抗器１１に基づいて着脱検知部３２が生成する。
【００４８】
装着された光学アダプタ２がある一つの光学アダプタ２に特定できた場合、処理は、ステップS４３に移行する。光学アダプタ２が一つに特定できないが、光学アダプタ情報に基づいて同じ特性をもつグループを特定できた場合、例えば直視型、単眼型などといった情報により同じ特性を持つ複数の光学アダプタ群が特定される場合、処理は、ステップS４７に移行する。光学アダプタ２が特定できず、まったく不明な場合、処理は、ステップS４９に移行する。
【００４９】
まず、光学アダプタ２が特定できた場合を説明する。  
ステップＳ４３において、CPU２０は、特定した光学アダプタ２の情報をLCD３１に表示させる。  
そして、ステップＳ４４において、CPU２０は、装着した光学アダプタ２を使用するかどうかの決定信号を受信するまで待機する。この決定信号は、ユーザが操作スイッチ２４もしくはPC５を用いて確認操作を行うことによって生成される。決定信号を受信した場合、処理は、ステップＳ４５に移行する。決定信号が受信できない場合、処理は、ステップS４４を繰り返し、決定信号の受信を待機する。
【００５０】
続いて、ステップＳ４５において、CPU２０は、ステップ４４において確認された光学アダプタの光学アダプタ情報に基づいた制御信号を、内視鏡装置１各部に送信する。
【００５１】
そして、ステップＳ４６において、CPU２０は、装着された光学アダプタ２の光学アダプタ情報をLCD３１に表示させる。その後は図２のステップS１４の観察モードに移行し、ユーザが内視鏡観察を行うことができる。
【００５２】
続いて、光学アダプタ情報に基づいて同じ特性をもつグループが特定できた場合を説明する。このグループは、光学アダプタ情報の所定の情報が一致する光学アダプタ情報の集合である。例えば、単眼、双眼といった特定の情報が一致するものを一つのグループとして考える。
【００５３】
まず、ステップＳ４７において、一覧表示手段として、CPU２０は、光学アダプタ情報に基づいて同じ特性を持つグループの光学アダプタ２の光学アダプタ情報をLCD３１に一覧表示する。
【００５４】
そして、ステップＳ４８において、選択手段として、CPU２０は、決定信号を受信するまで待機する。この決定信号は、ユーザが操作スイッチ２４もしくはPC５を用いて使用する光学アダプタ２を選択する選択操作を行うことにより生成される。決定信号を受信しなかった場合、処理は、ステップS４８を繰り返し、引き続き決定信号を受信するまで待機する。
【００５５】
続いて、ステップＳ４５において、CPU２０は、装着された光学アダプタ２の光学アダプタ情報に基づいた制御信号を、内視鏡装置１各部に送信する。
【００５６】
そして、ステップＳ４６において、CPU２０は、装着された光学アダプタ２の情報をLCD３１に表示させる。その後は図２のステップS１４の観察モードに移行し、ユーザが内視鏡観察を行うことができる。
【００５７】
次に、光学アダプタ２が特定できなかった場合を説明する。
【００５８】
まず、ステップＳ４９において、CPU２０は、登録されていない光学アダプタ２であることをLCD３１に表示する。
【００５９】
そして、ステップＳ５０において、CPU２０は、決定信号を受信するまで待機する。この決定信号は、ユーザが操作スイッチ２４もしくはPC５を用いて、装着された光学アダプタ２を設定テーブルに登録するという確認操作を行うことにより生成される。決定信号を受信しなかった場合は、ステップＳ５０を繰り返し、引き続き決定信号を受信するまで待機する。
【００６０】
ステップＳ５１において、CPU２０は、編集処理として登録処理を行う。この登録処理についての詳細は後述する。登録処理が終了したら、処理は、ステップS４５に移行する。
【００６１】
続いて、ステップＳ４５において、CPU２０は、装着された、つまり登録した光学アダプタ２の光学アダプタ情報に基づいた制御信号を、内視鏡装置１各部に送信する。
【００６２】
そして、ステップＳ４６において、CPU２０は、光学アダプタ２の光学アダプタ情報をLCD３１に表示させる。その後は、図２のステップS１４の観察モードに移行し、ユーザが内視鏡観察を行うことができる。
【００６３】
そこで、上述した光学アダプタ２の登録処理についての詳細を、以下に図を用いて説明する。図８は、登録処理の流れの例のフローチャートを示す図である。以下の処理は、ＣＰＵ２０が行うものとする。また、上述の図７のステップＳ５１に移行したとき、図８の処理がスタートするものとする。
【００６４】
まず、ステップS６１において、CPU２０は、装着された光学アダプタの光学アダプタ情報をマニュアル入力するかどうかの選択肢をLCD３１に表示する。そこで、CPU２０は、ユーザが操作スイッチ２４もしくはPC５によりマニュアル入力するかどうか選択させる。
【００６５】
マニュアル入力をする場合、ステップS６６において、マニュアル入力処理を行う。このマニュアル入力処理についての詳細は省略するが、マニュアル入力処理は、CPU２０がユーザに操作スイッチ２４、もしくはPC５を用いて光学アダプタ情報を入力させる処理である。その後、処理は、ステップS６３に移行する。
【００６６】
次にマニュアル入力しない場合、ステップＳ６２において、CPU２０は、記録媒体制御部２６に、記録媒体２５の光学アダプタ設定カードが挿入されたかどうか確認をさせる。この光学アダプタ設定カードは、予め光学アダプタ情報が記憶されているものである。挿入されていない場合、処理は、ステップＳ６２を繰り返す。挿入されている場合、処理は、ステップＳ６３に移行する。
【００６７】
ステップＳ６３において、CPU２０は、記録媒体制御部２６に、記録媒体２５の光学アダプタ設定カードに記憶されている光学アダプタ情報をRAM２２に読み込ませる。
【００６８】
ステップＳ６４において、CPU２０は、読み込んだ光学アダプタ情報を設定テーブルに追加する。この追加処理は、設定テーブルに読み込んだ光学アダプタ情報を新たに書き加えることにより行う。
【００６９】
ステップＳ６５において、CPU２０は、作成した設定テーブルに基づいた一覧をLCD３１に表示させる。  
そして、登録処理を終了し、その後は、図７のステップＳ４５に移行する。
【００７０】
以上説明した構成により、装着された光学アダプタ２の種類が特定できない場合においても、グループによる一覧表示を行うことにより、ユーザは、簡単に内視鏡装置１の設定を変更することができる。これにより、光学アダプタには少なくとも着脱検出用のセンサが設けられていれば、光学アダプタを装着したときに一覧表示がされるので、設定変更を忘れることはなくなる。また、種類判別まで行う場合であっても、全ての種類を特定できるセンサを設けられなくても、グループ毎の一覧表示がされるので、ユーザは少ないリストから選択するだけでよい。さらに、グループ単位で判別するセンサは、すべての種類を特定可能なセンサよりも、一般的には小型であるため、細径化が求められる内視鏡に適用しやすくなる。また、ユーザが、設定テーブルに登録されていない光学アダプタ２を使用したい場合にも、簡単な操作により設定テーブルに追加でき、その光学アダプタ２を使用できるようになる。
【００７１】
なお、内視鏡装置１が観察モード状態において、メニュー表示を行い、設定テーブルを自由に編集可能となっている。このように自由に設定テーブルを編集することができるので、ユーザは、内視鏡装置１を一層簡単に使用することが出来る。この設定テーブル編集処理についての詳細を図を用いて以下に説明する。
【００７２】
図９は設定テーブル編集処理の流れの例のフローチャートである。図９の処理は、CPU２０が行うものとする。また、図９の処理は、内視鏡装置１の観察モード状態において操作スイッチ、又はPCを用いてメニューが表示されると実行される。この状態では、トップメニュー画面が表示されている。
【００７３】
まず、ステップＳ７１において、CPU２０は選択された処理を判定する。ここで、トップメニューは、例えば光学アダプタ２の登録、削除、図示しないが撮影状態に関する設定、例えばゲイン変更、色反転、シャッタスピード等や、もしくは計測等といった選択肢を表示する。そして、CPU２０は、選択信号を受信する。この選択信号は、ユーザが操作スイッチ２４もしくはPC５を用いてメニューの中から一つを選択する選択操作をすることによって生成される。
【００７４】
メニュー表示が中止されると、ステップS７１においてNoとなり、観察モード状態に戻る。光学アダプタの登録を示す決定信号を受信した場合、処理は、ステップS７２に移行し、上述の図８のステップS６１に移行し、登録処理を行う。光学アダプタの削除を示す選択信号を受信した場合、処理は、ステップS７３に移行する。
【００７５】
ステップＳ７３において、CPU２０は、登録されている光学アダプタ２の一覧をLCD３１に表示させる。
【００７６】
ステップＳ７４おいて、CPU２０は、決定信号を受信するまで待機する。この決定信号は、ユーザが操作スイッチ２４もしくはPC５を用いて削除する光学アダプタ２を選択する選択操作をすることにより生成される。決定信号を受信しない場合、処理は、ステップS７４を繰り返し、決定信号を受信するまで待機する。
【００７７】
ステップＳ７５において、CPU２０は、削除する光学アダプタ２の光学アダプタ情報を、設定テーブルから削除する。
【００７８】
ステップＳ７６において、CPU２０は、新たな光学アダプタ２の一覧をLCD３１に表示させる。  
そして設定テーブル編集処理は、終了する。また、ステップS７４において、削除処理の中止が選択された場合も、同様に本処理は終了する。
【００７９】
以上説明した構成により、メニュー操作を用いてユーザが使用する光学アダプタの設定テーブルを簡単に編集することができるようになる。
【００８０】
なお、計測用の光学アダプタ２といったように、個体識別まで必要な光学アダプタ２を使用する場合は、図１０に示すように、光学アダプタ２のシリアル番号を含めた光学アダプタ情報を表示する。また、着脱検知部３２でシリアル番号を含めて、光学アダプタ２の種類も判別するようにしてもよい。
【００８１】
このように、光学アダプタ式の内視鏡装置の場合、多くの種類の光学アダプタ２を扱うことになり、特に固体識別まで必要な場合、その数は飛躍的に多くなる。しかし、実際にユーザが使用する光学アダプタ２の数は限られているため、光学アダプタ２の登録及び削除機能を使って、ユーザが必要なものだけを選定すれば、一覧表示には不要な光学アダプタ２は表示されなくなるため、光学アダプタ２の選択がより簡単になる。
【００８２】
また、本実施の形態において、設定テーブルは、ROM２１だけではなく着脱可能な記録媒体、可搬媒体等の様々な記録媒体を使用してもよい。また、登録する光学アダプタ情報が書き込まれた光学アダプタ設定カードは、例えばCFメモリカード、PCMCIAメモリカードといった記録媒体を用いてもよい。さらに、光学アダプタ情報は、通信I/F２３を介して接続されるPC５、LAN等のネットワークから取得して、設定テーブルに追加するようにしてもよい。
【００８３】
なお、本実施の形態において、CPU２０は、装着した光学アダプタ２を一つに特定せずに、グループのみを判別するようにしてもよい。その場合、光学アダプタ２内の抵抗器、及び着脱検知部３２は、光学アダプタを一つに特定する場合よりも、より小型の抵抗器、もしくは回路等によって構成することが可能になる。その結果、光学アダプタ２及び内視鏡装置１の小型化に貢献できる。もちろん、光学アダプタ情報を一覧表示することにより、操作の簡単さを失うことはない。
【００８４】
さらに、本実施の形態において、光学アダプタ情報は、ユーザが自由に入力した光学アダプタグループ情報を含んでもよい。この場合、例えば、ユーザが頻繁に使う光学アダプタのグループといったような情報を光学アダプタ情報に付加することにより、一層簡単かつ便利に光学アダプタを選択することができるようになる。
【００８５】
また、複数のユーザが、ユーザごとの設定テーブルを使用できるようにしてもよい。その場合、ユーザごとに設定テーブル編集処理を行うことにより、ユーザごとの設定テーブルを作成し、使用する。その結果、複数のユーザが簡単に一つの内視鏡装置を用いて観察を行うことができる。
【００８６】
なお、本実施の形態において、光学アダプタ情報の一覧は、LCD３１に表示させていたが、他の表示媒体、例えば、PC５に接続された表示装置、別途内視鏡装置１に接続可能にした表示装置等に表示するようにしてもよい。
【００８７】
また、本実施の形態において、CPU２０は、光学アダプタ２の判別結果から、例えば照明装置の駆動、照明光量、撮像信号のゲイン値等の制御を行うようにしてもよい。また、CPU２０は、光学アダプタ２の判別結果から、例えば収差補正係数、焦点距離、及び計測等の演算処理を行うようにしてもよい。
【００８８】
なお、本実施の形態において、ユーザの操作及び入力は、操作スイッチ２４及びPC５に限らず、種々の装置を用いてもよい。その場合、操作及び入力のための装置を通信I/F２３に接続することによって、ユーザは、操作及び入力を行う。
【００８９】
さらに、本実施の形態は、光学アダプタ２内に照明装置１０を配置しているが、本体部４内に照明装置１０を配置して、ライトガイドケーブルにより照明光を被写体に照射するようにしてもよい。その場合は、さらに光学アダプタ２の小型化が可能になる。
【００９０】
なお、本発明は前述した実施の形態に限定されるものではなく、本発明の要旨を変更しない程度に改変が可能である。
【図面の簡単な説明】
【００９１】
【図１】本発明の実施の形態に係る、内視鏡装置の概略構成図。
【図２】本発明の実施の形態に係る、内視鏡装置の起動処理の流れの例を示すフローチャート。
【図３】本発明の実施の形態に係る、光学アダプタ設定処理の流れの例を示すフローチャート。
【図４】本発明の実施の形態に係る、光学アダプタの一覧の画面表示の例の図。
【図５】本発明の実施の形態に係る、取り外し監視処理の流れの例を示すフローチャート。
【図６】本発明の実施の形態に係る、光学アダプタが取り外されたときの画面表示の例の図。
【図７】本発明の実施の形態に係る、光学アダプタの種別検知処理の流れの例を示すフローチャート。
【図８】本発明の実施の形態に係る、登録処理の流れの例を示すのフローチャート。
【図９】本発明の実施の形態に係る、設定テーブル編集処理の流れの例を示すフローチャート。
【図１０】本発明の実施の形態に係る、シリアル番号を含めた光学アダプタ情報の一覧表示の例の図
【符号の説明】
【００９２】
１    内視鏡装置、２    光学アダプタ、３    挿入部、４    本体部、５    パーソナルコンピュータ、１０  照明装置、１１  抵抗器、１２  レンズ、
【図１】
2007044280.tif 000003
【図２】
2007044280.tif 000004
【図３】
2007044280.tif 000005
【図４】
2007044280.tif 000006
【図５】
2007044280.tif 000007
【図６】
2007044280.tif 000008
【図７】
2007044280.tif 000009
【図８】
2007044280.tif 000010
【図９】
2007044280.tif 000011
【図１０】
2007044280.tif 000012